(57)【要約】【課題】プランターなどの植栽容器において、持ち上げが容易に行え、また素材樹脂の変形又は割れを起こすことがなく、もって移動や位置ずらし等が容易に行えるようにする。【解決手段】周壁体２と底板３とを有し、周壁体２の上周部に植栽空間５とは逆方向となる側部外方へ張り出す状態で把手部４が設けられている。【選択図】図１
0003120840.tif 000002
【実用新案登録請求の範囲】
【請求項１】
植栽空間（５）を全周から取り囲む状態に設けられた周壁体（２）と、植栽空間（５）の下部を仕切る状態で上記周壁体（２）内に設けられる底板（３）とを有し、周壁体（２）の上周部に植栽空間（５）とは逆方向となる側部外方へ張り出す状態で把手部（４）が設けられていることを特徴とする植栽容器。
【請求項２】
前記周壁体（２）にはその上周部全周から外方へ張り出して全体平面視形状が枠状を成すフランジ部（６）が設けられており、このフランジ部（６）における周方向の一部に上下方向へ貫通して形成された手差し空間（１０）と、この手差し空間（１０）の外側を横切る状態で掛け渡された握りバー（１１）とが設けられることで前記把手部（４）が形成されていることを特徴とする請求項１記載の植栽容器。
【請求項３】
前記把手部（４）の握りバー（１１）は、フランジ部（６）に一体形成された芯部材（１５）と、この芯部材（１５）に被嵌されるグリップカバー（１６）とを有して形成されていることを特徴とする請求項２記載の植栽容器。
【請求項４】
前記グリップカバー（１６）は、芯部材（１５）を挟んで上下に二つ割りされる一対のカバー半体（１７）を有して成り、各カバー半体（１７）には、相手側へ突出する係合爪（２６）とこの係合爪（２６）と係合可能な爪受け（２７）とが設けられて互いに１回限りの係合が可能とされていることを特徴とする請求項３記載の植栽容器。
【請求項５】
前記一対のカバー半体（１７）は、互いに同一形状をしたものであることを特徴とする請求項４記載の植栽容器。
【考案の詳細な説明】
【技術分野】
【０００１】
本考案は、植木鉢、植木ポット、プランターなどの植栽容器に関するものである。
【背景技術】
【０００２】
長方形の箱形をしたプランターは、植栽空間を全周から取り囲む状態に設けられた周壁体と、植栽空間の下部を仕切る状態で上記周壁体内に設けられる底板とを有し、周壁体の上周部全周から外方へ張り出して全体平面視形状が枠状を成すフランジ部が設けられたものとなっている。
このようなプランターを持ち運んだり設置場所をずらしたりする場合、フランジ部に手を掛けてプランターを持ち上げるのが普通である。
【０００３】
一方、この種の箱形プランターにおいて、周壁体の上部に水平方向に貫通する孔が形成され、この孔の上部を横切るように残った部分を把手部としたものが知られている（特許文献１等参照）。
【特許文献１】特開２００４−２６７００９号公報
【考案の開示】
【考案が解決しようとする課題】
【０００４】
プランターを持ち上げるときにフランジ部に手を掛けると、フランジ部の肉厚が薄いために手（指先等）が痛くなるということがあった。また、長期間、屋外に出してあったプランターでは、素材樹脂が劣化していることに伴い、フランジ部が変形したり割れたりすることもあった。これらのことは、プランター内に培養土が詰められているときに、殊に顕著に見られるものであった。
【０００５】
周壁体に形成された水平方向の孔の上部を把手部としたプランター（上記特許文献１のもの）でも、周壁体の肉厚が薄いことから手（指先等）が痛くなる点や素材樹脂が変形又は割れを起こす点があり、これらについて何ら解決されたものではなかった。
殊に、周壁体自体に把手部用の孔が開けられているため、植栽された植物に水を与えるときにこの孔から培養土や水が溢れて植栽容器まわりに培養土が流れ出る不具合や、把手部を掴んだときに手が植栽空間に詰められた培養土に触れて汚れる不具合なども生じていた。
【０００６】
本考案は、上記事情に鑑みてなされたものであって、プランターをはじめ、植木鉢や植木ポット等を含む植栽容器として、手（指先等）が痛くなるといったこともなく持ち上げが容易に行え、素材樹脂の変形又は割れを起こすことがないものとし、もって移動や位置ずらし等が容易に行えるようにした植栽容器を提供することを目的とする。
また本考案は、植栽された植物への水やり時に培養土や水が溢れる不具合や、把手部を掴んだ手が汚れる不具合を防止することができるようにした植栽容器を提供することを目的とする。
【課題を解決するための手段】
【０００７】
前記目的を達成するために、本考案は次の手段を講じた。
即ち、本考案に係る植栽容器は、植栽空間を全周から取り囲む状態に設けられた周壁体と、植栽空間の下部を仕切る状態で上記周壁体内に設けられる底板とを有し、周壁体の上周部に植栽空間とは逆方向となる側部外方へ張り出す状態で把手部が設けられている。
このように、周壁体の上周部に設けられたフランジ部を把手部として流用するのではなく、専用に設けられた把手部を有した構成であるため、持ち上げが容易に行え、また素材樹脂の変形又は割れを起こすことがない。従って本考案に係る植栽容器は、移動や位置ずらし等が容易に行える。
【０００８】
また本考案に係る植栽容器では、周壁体に対し、把手部を形成させるための孔が設けられたものではないので、植栽された植物への水やり時に培養土や水が溢れる不具合や、把手部を掴んだ手が汚れる不具合を防止することができる。
周壁体にはその上周部全周から外方へ張り出して全体平面視形状が枠状を成すフランジ部が設けられており、このフランジ部における周方向の一部に上下方向へ貫通して形成された手差し空間と、この手差し空間の外側を横切る状態で掛け渡された握りバーとが設けられることで前記把手部が形成されたものとすることができる。
【０００９】
このようにすることで、構造の簡潔化、見栄えの良さ、製造の容易化、強度アップなどが図れる。
把手部の握りバーは、フランジ部に一体形成された芯部材と、この芯部材に被嵌されるグリップカバーとを有して形成されたものとするのが好適である。
このようにすることで、握りバーにおいて直接手に触れる部分（即ち、グリップカバー）を周壁体とは表面粗さ、硬さ、色等において異なった材質で形成することができるようになる。このことは握りバーとしての手触り感や滑止め効果、更には植栽容器全体としての見栄え等を良好にするうえで好適となる。
【００１０】
グリップカバーは、芯部材を挟んで上下に二つ割りされる一対のカバー半体を有して成り、各カバー半体には、相手側へ突出する係合爪とこの係合爪と係合可能な爪受けとが設けられて互いに１回限りの係合が可能なものとすることができる。
このようにすることで、構造の簡潔化、製造の容易化、組み立ての容易化、強度アップ、使用中の分解防止などが図れる。
【００１１】
なお、これら一対のカバー半体を互いに同一形状のものとすれば、製造コストの大幅な抑制が可能となる。
【考案の効果】
【００１２】
本考案に係る植栽容器では、持ち上げが容易に行え、また素材樹脂の変形又は割れを起こすことがなく、もって移動や位置ずらし等が容易に行える。また、植栽された植物への水やり時に培養土や水が溢れる不具合や、把手部を掴んだ手が汚れる不具合を防止することができる。
【考案を実施するための最良の形態】
【００１３】
以下、本考案の実施の形態を、図面に基づき説明する。
図１乃至図６は、本考案に係る植栽容器１の一実施形態を示している。この植栽容器１は周壁体２と底板３とを有したもので、周壁体２の上周部に、把手部４が設けられている。この植栽容器１（周壁体２及び底板３）は例えばポリプロピレン等の樹脂によって形成することができる。
【００１４】
周壁体２は、培養土を入れ且つ植物の根を植えるための植栽空間５を全周から取り囲む状態に設けられており、この周壁体２の上周部には、その全周から外方へ張り出して全体平面視形状が枠状を成すフランジ部６が設けられている。このフランジ部６の張出側は下方へ折り返す形状とされ、フランジ部６自体や周壁体２、ひいては植栽容器１全体としての剛性が高められている。
【００１５】
本実施形態において周壁体２は、方形箱形（平面視長方形状）をした所謂、プランターと呼ばれるものとしてあり、従ってこの周壁体２は四つの平面体（デザイン及び剛性の観点でやや外膨れ状の丸みを付してある）を互いに直交状に折曲して形成されている。ただ周壁体２は、植木鉢と呼ばれるもの（古典的なデザインであったり短円筒形であったりするタイプ）や、ポットと呼ばれるもの（比較的小型であったり膨らみのある曲面形であったりするタイプ）などとしてもよく、これらに応じてその形状や大きさなど種々様々な態様が採用される。
【００１６】
底板３は、植栽空間５の下部を仕切る状態で周壁体２の下部に一体的に設けられている。本実施形態では、周壁体２の長手方向両端寄りで下向きに凸で、それらの中間が凹となるようにしてあり、下向き凸部分で載置脚７を形成させてある。このように載置脚７を設けることで底板３は面方向に複数箇所の折曲構造を有したものとなり、底板３自体や周壁体２、ひいては植栽容器１の全体として剛性が高められている。
【００１７】
植栽空間５内へスノコとなる中底（図示略）を嵩上げ状に設けることで、培養土に対する水はけ機能や換気機能を保持させることができる。なお、載置脚７に対応する部分には板厚方向に貫通する排水孔８が設けられており、底板３上に溜まった余剰水を必要に応じて容器外へ排水することができるようになっている。
フランジ部６には、周方向の一部に上下方向へ貫通して形成された手差し空間１０と、この手差し空間１０の外側を横切る状態で掛け渡された握りバー１１とが設けられており、これら手差し空間１０と握りバー１１とによって上記した把手部４が形成されている。従ってこの把手部４は、周壁体２に対し、植栽空間５とは逆方向となる側部外方へ張り出す状態で設けられていることになる。
【００１８】
把手部４の配置や形成数は特に限定されるものではないが、本実施形態のように周壁体２を平面視長方形とする場合、把手部４は、長手方向両側（即ち、両側の短辺部）に各１箇所、合計２箇所設けるのが好適である。
図４及び図５に示すように、握りバー１１は、フランジ部６に一体形成された芯部材１５と、この芯部材１５に被嵌されるグリップカバー１６とを有している。またこのグリップカバー１６は、芯部材１５を挟んで上下に二つ割りされる一対のカバー半体１７を有したものとなっている。
【００１９】
本実施形態において、握りバー１１は両端部から中央部を徐々に周壁体２から遠ざける方向で丸棒材を緩く湾曲させた形状としてあり、中央部での手差し空間１０にゆとりを持たせるようにしてある。芯部材１５は、水平方向に板状を成すベース２０に対し、その上下両側へ複数本のフィン状リブ２１を突設することで握りバー１１の骨組みを形成させたものとしてある。このような構造を採用することで、十分な強度を保ちつつ材料コストの低廉化及び製造容易化が図られている。
【００２０】
またカバー半体１７は、この芯部材１５の上部と下部をそれぞれ覆うように、パイプを半割したような中空の半円形断面を有して形成されたものとしてある。カバー半体１７は手触り感や滑止め効果を高めるため、例えばポリエチレン７０％、エラストマー３０％の合成材等で形成することができる。なお、本実施形態では表面上で長手方向に沿って突出する複数本の滑止め突条２３を設けてある。
【００２１】
図６に示すように、カバー半体１７には係合爪２６と爪受け２７とが設けられている。これら係合爪２６及び爪受け２７は、一対のカバー半体１７を互いに結合するためのものであって、係合爪２６は結合相手側のカバー半体１７へ向けて突出し、その突出端から外側へ爪先を向けるように形成されており、爪受け２７は、結合相手側のカバー本体１７に設けられた係合爪２６と係合可能な状態として内向きに凹んで形成されている。
【００２２】
なお、一方のカバー半体１７に係合爪２６だけが設けられ、他方のカバー半体１７に爪受け２７だけが設けられたものとしてもよい。
また、上記したようにカバー半体１７は中空の半円形断面を呈していることで、相手側のカバー半体１７に対して２筋の辺部（湾曲の内カーブ側辺部１７ａと湾曲の外カーブ側辺部１７ｂ）で突き合わされるようになるが、一方のカバー半体１７は、内カーブ側辺部１７ａに係合片２６が設けられていると共に外カーブ側辺部１７ｂに爪受け２７が設けられたものとし、他方のカバー半体１７は、外カーブ側辺部１７ｂに係合片２６が設けられていると共に内カーブ側辺部１７ａに爪受け２７が設けられたものとしてもよい。
【００２３】
しかしながら、これらの構造を採用した場合は、各カバー半体１７として別形状（即ち、別部品）が必要となる。本実施形態では、一対のカバー半体１７を同一形状にして部品の共通化が図れるようにするため、次のようにした。
すなわち、内カーブ側辺部１７ａでは、その長手方向を二分したときの一方領域（図６の左側領域）に２箇所の係合爪２６を設けると共に、他方領域（図６の右側領域）に２箇所の爪受け２７を設けている。また外カーブ側辺部１７ｂでも、その長手方向を二分したときの一方領域（図６の右側領域）に２箇所の係合爪２６を設けると共に、他方領域（図６の左側領域）に２箇所の爪受け２７を設けている。
【００２４】
ここにおいて、内カーブ側辺部１７ａと外カーブ側辺部１７ｂとでは係合爪２６と爪受け２７とを形成した配置（長手方向を二分したときの各領域として振り分けた配置）が相対逆の関係としてある。このような構造を採用することで、一対のカバー半体１７における互いの同一形状化（共通部品化）を図っている。
このようなカバー半体１７を、上記した芯部材１５の上下両側から相対向させて、互いに合体させることで、係合爪２６と爪受け２７とが互いに係合し、以後、決して外れることはなく、使用中の思わぬ分解事故には至らない。即ち、これら係合爪２６と爪受け２７とは互いに１回限りの係合が可能とされている。
【００２５】
以上詳説したように本考案に係る植栽容器１では、 把手部４が設けられていることから持ち上げが容易に行え、またこの持ち上げを原因として周壁体２やフランジ部６などの素材樹脂の変形又は割れを起こすことがない。このようなことからこの植栽容器１の移動や位置ずらし等が容易に行えるものである。
また、周壁体２には把手部４を形成させるための孔が設けられたものではないから、植栽された植物への水やり時に培養土や水がこの孔を介して溢れるといったこともない。また、把手部４を掴んだ手が汚れるといったこともない。
【００２６】
ところで、本考案は、上記実施形態に限定されるものではなく、実施の形態に応じて適宜変更可能である。
例えば、把手部４において、芯部材１５とグリップカバー１６とが一体形成されたもの（即ち、把手部４がフランジ部６と一体形成されたもの、或いは周壁体２と一体形成されたもの）としてもよい。
【図面の簡単な説明】
【００２７】
【図１】本考案に係る植栽容器の一実施形態を示した平面図である。
【図２】図１に対応する一部破砕側面図である。
【図３】図１のＡ部拡大図である。
【図４】図２のＢ部拡大図である。
【図５】図４に対応させて分解状態を示した側断面図である。
【図６】図５のＣ−Ｃ線矢視図である。
【符号の説明】
【００２８】
１  植栽容器
２  周壁体
３  底板
４  把手部
５  植栽空間
６  フランジ部
１０  手差し空間
１１  握りバー
１５  芯部材
１６  グリップカバー
１７  カバー半体
２６  係合爪
２７  爪受け
【図１】
0003120840.tif 000003
【図２】
0003120840.tif 000004
【図３】
0003120840.tif 000005
【図４】
0003120840.tif 000006
【図５】
0003120840.tif 000007
【図６】
0003120840.tif 000008